(57)【要約】【課題】足場を踏み外すことなく作業を行うための建築足場用幅木を提供すること。【解決手段】所定の厚みの長尺鋼板からなる幅木本体２を備えた建築足場用幅木１は、所定間隔で立設配置された複数の支柱２５と、複数の梁部材２６と複数の通路用の踏板２８とから基本的骨格が構築された建築足場の末端に配置される同踏板２８の長手方向と直交する側端縁部２９に配置される。この際、側端縁部２９とブラケットシャフト３０との隙間に挿入されたインサート支持部１４によって、踏板２８の長手方向への移動を規制するとともに、外れ防止フレーム１９がブラケットシャフト３０にしっかりと係合された状態となる。このように構成することで、建築足場用幅木１は側端縁部２９上に安定した状態で配置されることとなり、踏板２８から踏み外すことなく作業を行うことができる。【選択図】        図７
2004332220.tif 000002
【特許請求の範囲】
【請求項１】
所定間隔で立設配置された複数の支柱と、同支柱と交差するように配設された複数の梁部材と、同梁部材又は同支柱に対して架設された複数の通路用の踏板とから基本的骨格が構築された建築足場における同踏板であって、末端に配置される同踏板の長手方向と直交する側端縁部に配置される建築足場用幅木において、
前記側端縁部に配置される所定の厚みの長尺鋼板からなる幅木本体と、
同幅木本体の長手方向の所定の位置に配設され、同幅木本体が前記側端縁部に配置される際、同側端縁部と前記梁部材との間の隙間に挿入されるインサート支持部と、
同インサート支持部に併設された外れ防止部材とを備え、
前記幅木本体を前記側端縁部に配置する際、前記インサート支持部によって、同踏板の長手方向への移動を規制するとともに、前記外れ防止部材によって同インサート支持部の脱落を防止するようにしたことを特徴とする建築足場用幅木。
【請求項２】
前記インサート支持部は下方に向かって延出され、下方側ほど先細りとなるくさび形状に構成されるとともに、前記幅木本体が前記側端縁部に配置される際、同インサート支持部の一部が同踏板の側端面及び前記梁部材の所定の部位に当接し、同踏板と同梁部材とによって、同インサート支持部が挟まれた状態となるように構成されていることを特徴とする請求項１に記載の建築足場用幅木。
【請求項３】
前記外れ防止部材は前記インサート支持部に取着されるとともに前記梁部材又は踏板に係合される係合フレームを備え、同インサート支持部への取着位置を支点として可動することで同係合フレームを同梁部材又は踏板の所定の部位に係合させて外れ防止を図るようにしたことを特徴とする請求項１又は２に記載の建築足場用幅木。
【請求項４】
前記外れ防止部材は前記インサート支持部への取着位置を支点として回動するとともに前記係合フレームは前記梁部材又は踏板と係合させる方向に付勢されていることを特徴とする請求項４に記載の建築足場用幅木。
【発明の詳細な説明】
【０００１】
【発明の属する技術分野】
本発明は、建築現場等に仮設される足場に配設される足場用の幅木に関するものである。
【０００２】
【従来の技術】
一般に建築現場等に仮設される足場は、所定の間隔で立設された支柱と、梁部材（手摺り、ブラケット等）とを縦横に組み合わせ梁部材に踏板を架設することで基本的骨格が構築されている。作業者はこの踏板上で作業をし、また、踏板上を移動する。
しかしながら、作業者が作業中に踏板上で足の位置を動かす場合や踏板を移動する場合に必ずしも足下を注視しているわけではない。むしろ作業に没頭すれば足下はそれほど気にせずに踏み板上で行動することが多いといえる。その場合に思わず踏板の外側に足を踏み外してしまうような場合がある。足場には支柱や手摺りがあるため作業者が落下するわけではないが、体勢が崩れて物が落下したりする原因ともなる。また、作業者の心理的にもこのような踏み外しがあると思うと作業に没頭できない可能性もある。
このような課題に対する対策として、以前から踏板の外側、つまり踏板長手方向（歩行者が歩く際の移動方向）の外側縁部上に配置する建築足場用幅木が開発され、踏み外し防止用として使用されている（例えば、特許文献１、特許文献２等参照）。
【０００３】
【特許文献１】
特願２００２−３２５４６４（図８）
【０００４】
【特許文献２】
特願２００２−３４１２７０（図８）
【０００５】
【発明が解決しようとする課題】
しかし、連続して配置された踏板上を足場として作業者が歩く際作業者の進移動方向の末端位置に配置された踏板の長手方向と直交する側端側にはこのような幅木はなく、上記と同様に、踏板から足を踏み外してしまう等の課題がある。
本発明は、上記課題を解決するためのものである。その目的は、足場を踏み外すことなく作業を行うための建築足場用幅木を提供することにある。
【０００６】
【課題を解決するための手段】
上記課題を解決するために、請求項１の発明では、所定間隔で立設配置された複数の支柱と、同支柱と交差するように配設された複数の梁部材と、同梁部材又は同支柱に対して架設された複数の通路用の踏板とから基本的骨格が構築された建築足場における同踏板であって、末端に配置される同踏板の長手方向と直交する側端縁部に配置される建築足場用幅木において、前記側端縁部に配置される所定の厚みの長尺鋼板からなる幅木本体と、同幅木本体の長手方向の所定の位置に配設され、同幅木本体が前記側端縁部に配置される際、同側端縁部と前記梁部材との間の隙間に挿入されるインサート支持部と、同インサート支持部に併設された外れ防止部材とを備え、前記幅木本体を前記側端縁部に配置する際、前記インサート支持部によって、同踏板の長手方向への移動を規制するとともに、前記外れ防止部材によって同インサート支持部の脱落を防止するようにしたことをその要旨とする。
請求項２の発明では請求項１の発明の構成に加え、前記インサート支持部は下方に向かって延出され、下方側ほど先細りとなるくさび形状に構成されるとともに、前記幅木本体が前記側端縁部に配置される際、同インサート支持部の一部が同踏板の側端面及び前記梁部材の所定の部位に当接し、同踏板と同梁部材とによって、同インサート支持部が挟まれた状態となるように構成されていることをその要旨とする。
請求項３の発明では請求項１又は２の発明の構成に加え、前記外れ防止部材は前記インサート支持部に取着されるとともに前記梁部材又は踏板に係合される係合フレームを備え、同インサート支持部への取着位置を支点として可動することで同係合フレームを同梁部材又は踏板の所定の部位に係合させて外れ防止を図るようにしたことをその要旨とする。
請求項４の発明では請求項４の発明の構成に加え、前記外れ防止部材は前記インサート支持部への取着位置を支点として回動するとともに前記係合フレームは前記梁部材又は踏板と係合させる方向に付勢されていることをその要旨とする。
【０００７】
このように構成することで、連続して配置された踏板上を足場として作業者が歩く際、作業者の移動方向の末端位置に配置された踏板の側端縁部に配置される建築足場用幅木（以下、単に幅木という）が、踏板の側端縁部からの踏み外し防止又は踏み外し防止の注意喚起となる為、踏み外し防止板のような役割を果たすこととなる。
仮に、踏板上を歩く作業者の足等が幅木にぶつかり、誤って幅木を倒しそうになる、又は幅木が外れそうになる等があった場合においても、
１）側端縁部と梁部材との間の隙間に挿入されるインサート支持部はくさびのような形状をしており、踏板の側端面及び梁部材の所定の部位に当接し、踏板と梁部材とによって、インサート支持部が挟まれた状態となる。
つまり、インサート支持部がつっかえ棒のような役割を果たすことにより、踏板の長手方向への移動が規制される。
２）外れ防止部材が梁部材の所定の部位にしっかり係合されている為、外れ防止部材が容易に外れることはない。
ことにより、幅木の踏板の長手方向への移動が規制される。
【０００８】
【発明の効果】上記請求項１〜請求項４に記載の発明のように構成すれば、連続して配置された踏板上を足場として作業者が歩く際、作業者の移動方向の末端位置に配置された踏板の側端縁部に配置される建築足場用幅木が、踏板の側端縁部からの踏み外し防止又は踏み外し防止の注意喚起となる為、踏み外し防止板のような役割を果たすこととなり、踏板から踏み外すことなく作業を行うことができる。
【０００９】
【発明の実施の形態】
（実施の形態１）
以下、本発明の具体的な実施の形態を図面に基づいて説明する。尚、以下の説明において前方とは図１における下方向を、後方とは同図における上方向を言うものとする。また、左右とは図２における左方及び右方向を、上下とは同図における上方及び下方を言うものとする。
図１〜図５に示すように、建築足場用幅木（以下、単に幅木という）１は所定の厚みの鋼板を折り曲げて形成された正面視外形略長方形形状の幅木本体２を備えている。同幅木本体２は前方視凹形状の幅木中央部３を備えている。
幅木中央部３は前方視凹面の幅木中央板４と幅木中央板４の上下両端から略直角に前方へ延出された２つの中央板延出部５を備えている。
両中央板延出部５の両前方端から幅木中央板４と略平行に上下に延出された部位はそれぞれ幅木上部板６、幅木下部板７とされている。
幅木上部板６の上端及び幅木下部板７下端から略直角に後方へ延出された部位はそれぞれ上部板底部８及び下部板底部９とされている。
【００１０】
上部板底部８及び下部板底部９の両後方端から、幅木上部板６及び幅木下部板７と略平行に上下に張出された部位は、それぞれ上部張出し板１０及び下部張出し板１１とされている。
尚、幅木上部板６、上部板底部８及び上部張出し板１０は、合わせて幅木上部１２とされ、同幅木上部１２は側面視鉤形形状をしている。
同様に、幅木下部板７、下部板底部９及び下部張出し板１１は、合わせて幅木下部１３とされ、同幅木下部１３は側面視鉤形形状をしている。
また、幅木中央板４、幅木上部板６及び幅木下部板７の左右長手方向の長さは同一とされている。
そして、幅木中央板４及び幅木上部板６、幅木下部板７の上下幅は略同一とされるとともに、上部張出し板１０と下部張出し板１１の上下幅は略同一とされている。
従って、前方視及び後方視において、幅木本体２は左右対称かつ略上下対称とされている。
さらに、側面視においては、中央板延出部５及び上部板底部８、下部板底部９の長さは略同一とされ、幅木本体２は略上下対称とされている。
【００１１】
幅木下部板７の前方面中央部にはインサート支持部１４が配設されている。
インサート支持部１４前面は図１に示すように平面視コの字形状をした、開口部１５とされている。
インサート支持部１４は所定の厚みの鋼板を折り曲げて形成されており、幅木下部板７と略平行で正面視略長方形形状をしたインサート中央板１６と、インサート中央板１６の左右両端から略直角に折り曲げられ前方方向へ張出した２つのインサート張出し板１７を備えている。
インサート支持部１４はインサート中央板１６の後方面の上方側一部において、幅木下部板７に固着されていることとなる。
両インサート張出し板１７は側面視において、上方側が下方側よりも幅広となるように、前方端側の下方側から上方側にかけてテーパー状に形成されている。また、両インサート張出し板１７の側面上側中央部にはそれぞれフレームセット孔１８が形成されている。
尚、インサート張出し板１７は平面視及び側面視において略同一形状とされており、従って、インサート支持部１４は平面視及び正面視において略左右対称とされている。
【００１２】
両インサート張出し板１７には外れ防止フレーム１９が係合されている。
外れ防止フレーム１９は鋼製の丸棒を折り曲げて形成されており、その基部にハンドル部２０が形成されている。
ハンドル部２０は幅木本体２の長手方向と略平行に配置されている。ハンドル部２０の左右両端から略直角に折り曲げられ一旦後方方向へ（つまり、幅木本体２方向へ）延出された後上方側へ湾曲し延出された１対のフレームは係合フレーム２１とされている。両係合フレーム２１は側面視略弓形状に湾曲しており、前記開口部１５まで延出されている。
両係合フレーム２１の先端部は開口部１５内で左右反対方向（つまり、外側のインサート張出し板１７側）へ略直角に折り曲げられ延出されており、１対のフレーム先端部２２とされている。
両フレーム先端部２２は、それぞれ両インサート張出し板１７と略直交するように前記両フレームセット孔１８に貫装されている。
この状態で、外れ防止フレーム１９はインサート張出し板１７に対して、両フレームセット孔１８に貫装された両フレーム先端部２２を支点として回動自在に係合されていることとなる。
尚、外れ防止フレーム１９については、両係合フレーム２１を左右両側から挟むようにして両係合フレーム２１間の距離を縮めることによって、両フレーム先端部２２を両フレームセット孔１８から抜くことができる。つまり外れ防止フレーム１９は両インサート張出し板１７に着脱自在に係合されていることとなる。
【００１３】
次に、このように構成された幅木１の使用方法を図６及び図７に基づいて説明する。図７に示すように、建築現場において、所定の間隔で立設配置された複数の金属製の支柱２５と、同支柱２５に対して直行する方向に延出され同支柱２５に片持ちに支持された梁部材としての複数の金属製のブラケット２６と、同ブラケット２６にフック２７が係合されることによって架設された足場の各階の床面としての複数の金属製の踏板２８とから基本的骨格が構築された建築足場が連設されているものとする。
ここで本実施の形態の幅木１は、連続して配置された踏板２８上を足場として作業者が歩く際、作業者の移動方向の末端に配置された踏板２８を対象とし、同踏板２８の長手方向と直交する側端縁部（以下、単に側端縁部２９と言う）付近に配置され、作業者がこの踏板２８の側端縁部２９側からの踏み外し防止又は踏み外し防止の注意喚起の為に使用されるものとする。
【００１４】
尚、以下の説明において上下とは図６における上下方向、前方及び後方とは同図における右方及び左方を言うものとする。
図６の（１）に示すように、幅木１を実線で示すブラケット２６の上方位置から下降させていくものとする。
この際、予め外れ防止フレーム１９は、両フレームセット孔１８に貫装された両フレーム先端部２２を回動支点としてハンドル部２０を上方側（Ｐの方向）へ引き上げた状態としておく。
また、本実施の形態では幅木本体２を幅木本体２の長手方向が側端縁部２９に対し略平行となるように配置するとともに、幅木上部１２を前方に、幅木下部１３を後方の踏板２８側へ「若干傾けた状態」で下降動作を行う。
これは、外れ防止フレーム１９の湾曲部分（つまり係合フレーム２１部分）が比較的長く延出されていることによるブラケットシャフト３０との干渉を防止するための取り付けのコツである。係合フレーム２１が短ければブラケットシャフト３０との干渉はないが振動等で容易に外れ防止フレーム１９がブラケットシャフト３０から外れてしまう可能性がある。このように係合フレーム２１の湾曲部分を十分長くすることで外れ防止フレーム１９がブラケットシャフト３０にしっかりと係合されることとなる。しかし、その分幅木１を単に下降させるだけの通常の取り付け操作では係合フレーム２１先端寄りがブラケットシャフト３０に干渉してしまう。これを防止するために斜めに挿入するようにしたわけである。
このように、若干傾けたまま幅木１を下降させていき、インサート支持部１４が、側端縁部２９とブラケットシャフト３０との間の隙間に挿入されるように幅木下部１３を側端縁部２９に接近させていく（（１）の仮想線の幅木１）。
【００１５】
次に、図６（２）の仮想線で示すように、外れ防止フレーム１９を下方向（Ｑの方向）へ回動させながら両係合フレーム２１をブラケットシャフト３０に嵌合させていく。同時に、幅木下部１３の下部板底部９を側端縁部２９上に載置させるとともに、幅木本体２を側端縁部２９上に垂直状態となるように幅木上部１２を後方（Ｒの方向）へ動かす。このようにインサート支持部１４が図６（２）の実線の位置に配置されると外れ防止フレーム１９が上方向に回動しようとしてもブラケットシャフト３０と干渉して外れ防止フレーム１９が外れてしまうことがない。
尚、両係合フレーム２１のブラケットシャフト３０の外周面と接触する部位の曲率は、ブラケットシャフト３０の外周面の曲率と略同一とされている。
また、この時、インサート支持部１４のインサート中央板１６の後方面の一部が踏板２８の側端面３１に面接触するとともに、インサート張出し板１７のテーパー状に形成された前方端側の一部がブラケットシャフト３０の外周面に当接された状態となる。
このようにして、図７に示すように、幅木本体２は側端縁部２９上に配置される。この際、インサート部１４が側端縁部２９とブラケットシャフト３０との隙間に挿入された状態となると同時に、外れ防止フレーム１９がブラケットシャフト３０にしっかりと係合された状態となる。
従って、幅木１は側端縁部２９上に安定した状態で配置されることとなる。
尚、幅木１を取り外す場合は、上記使用方法の逆の順序で外すこととなる。
【００１６】
このように構成することにより本実施の形態１の幅木１は以下のような効果を奏する。
（１）連続して配置された踏板２８上を足場として作業者が歩く際、作業者の移動方向の末端位置に配置される踏板２８の側端縁部２９に幅木１が配置されることによって、側端縁部２９側からの踏み外し防止又は踏み外し防止の注意喚起となる為、作業者は踏板２８から踏み外すことがない。
つまり、幅木１は作業者が踏板２８を歩く際、行き止まりの末端位置での踏み外し防止板のような役割を果たすこととなる。従って建築作業に集中でき、作業の効率化を図ることができる。
（２）仮に、踏板上を歩く作業者の足等が幅木１にぶつかり、誤って幅木１を倒しそうになる、又は幅木１が外れそうになる等があったとしても、
１）インサート中央板１６の後方面の一部と側端面３１が面接触していると同時に、インサート張出し板１７の前方端側の一部がブラケットシャフト３０の外周面に当接している。
つまり、インサート支持部１４がつっかえ棒のような役割を果たすことにより、
幅木１の同踏板の長手方向への移動が規制される。
２）外れ防止フレーム１９がブラケットシャフト３０にしっかり係合されている為、外れ防止フレーム１９が容易に外れることはない。
以上、１）、２）の相乗効果によって、幅木１が倒れたり外れたりすることはない。
（３）外れ防止フレーム１９は着脱自在な為、幅木１の積載、運搬時に、外れ防止フレーム１９を取り外した状態の幅木１を重ねることができ、複数の幅木を積載することができる。
（４）さらに、外れ防止フレーム１９は着脱自在な為、インサート支持部１４に係合可能であればブラッケット２６及びブラケットシャフト３０の態様（建築足場の態様）に合わせて他の態様の外れ防止手段を配設することも可能となる。
【００１７】
（実施の形態２）
以下、本発明の具体的な実施の形態２を図面に基づいて説明する。尚、以下の説明において前方とは図８における下方向を、後方とは同図における上方向を言うものとする。また、左右とは図９における左方及び右方向を、上下とは同図における上方及び下方を言うものとする。
図８〜図１２に示すように、建築足場用幅木（以下、単に幅木という）４１は所定の厚みの鋼板を折り曲げて形成された正面視外形略長方形形状の幅木本体４２を備えている。
尚、幅木本体４２の構成は前記実施の形態１と同一とされるのでここでの説明は省略する。
【００１８】
インサート支持部５４の構成はフレームセット孔５８の位置の変更以外、他は前記実施の形態１と同一構成である為ここでの説明は省略する。
実施の形態２においては、図８、図１０に示すように、フレームセット孔５８は、左側のインサート張出し板５７には前方寄りに、右側のインサート張出し板５７には後方寄りに、それぞれ側面上側中央部に形成されている。
つまり、両フレームセット孔５８の位置は前後にずれて配置されている。
【００１９】
両インサート張出し板５７には外れ防止フレーム５９が係合されている。
外れ防止フレーム５９は鋼製の丸棒を折り曲げて形成されており、ハンドル部６０を備えている。
ハンドル部６０は幅木本体４２の長手方向と略平行に配置されている。ハンドル部６０の左右両端から略直角に折り曲げられ一旦後方方向へ（つまり、幅木本体４２方向へ）延出された後上方側へ湾曲し延出された１対のフレームは係合フレーム６１とされている。両係合フレーム６１は側面視略弓形状に湾曲しており、インサート支持部５４の開口部５５まで延出されている。
両係合フレーム６１の先端部は開口部５５内で左右反対方向（つまり、外側のインサート張出し板５７側）へ略直角に折り曲げられ延出されており、１対のフレーム先端部６２とされている。
両フレーム先端部６２は、それぞれ両インサート張出し板５７と略直交するように前記両フレームセット孔５８に貫装されている。
この状態で、外れ防止フレーム５９はインサート張出し板５７に対して、両フレームセット孔５８に貫装された両フレーム先端部６２を支点として回動自在に係合されていることとなる。
【００２０】
ここで、フレームセット孔５８の位置が前後にずれて配置されていることにより、両係合フレーム６１の長さが異なる。
つまり、前方寄りに配置された左側のフレームセット孔５８に係合される左側の係合フレーム６１は短く、後方寄りに配置された右側のフレームセット孔５８に係合される右側の係合フレーム６１は長い構成となっている。
このことによって、外れ防止フレーム５９は、上方又は下方への回動を付勢するように構成されている。つまり、外れ防止フレーム５９を両フレーム先端部６２を支点として回動する際、この回動支点としての両フレームセット孔５８の位置の違い及び両係合フレーム６１の長さの違いによって、左右の回動半径の差がねじれとなって付勢力が発生する。この上方又は下方へ戻ろうとする付勢力が外れ防止フレーム５９を上下方向へ回動させる際の補助力となる。
従って、幅木４１における外れ防止フレーム５９は、常に上方側へ跳ね上がっている状態かあるいは下方側へ降りた状態において、安定した状態となるように構成されている。
尚、外れ防止フレーム５９については、両係合フレーム６１を左右両側から挟むようにして両係合フレーム６１間の距離を縮めることによって、両フレーム先端部６２を両フレームセット孔５８から抜くことができる。つまり外れ防止フレーム５９は両インサート張出し板５７に着脱自在に係合されていることとなる。
【００２１】
次に、このように構成された幅木４１の使用方法を図１３及び図１４に基づいて説明する。尚、幅木４１が使用される建築足場の態様は上記実施の形態１と同一態様とする為ここでの説明は省略する。
また、以下の説明において上下とは図１３における上下方向、前方及び後方とは同図における右方及び左方を言うものとする。
図１３の（１）に示すように、幅木４１を実線で示す側端縁部２９の上方位置から下降させていくものとする。
この際、予め外れ防止フレーム５９は、両フレームセット孔５８に貫装された両フレーム先端部６２を回動支点としてハンドル部６０を上方側（Ｐの方向）へ跳ね上げた状態としておく。
また、幅木本体４２は垂直に立てた状態とし、幅木本体４２の長手方向が側端縁部２９に対し略平行となるように配置する。（従って、前記実施の形態１の幅木１の使用方法をとらなくてもよい。）
そして、幅木４１を下降させていき、インサート支持部５４が、側端縁部２９とブラケットシャフト３０との間の隙間に挿入されるように幅木下部５３を側端縁部２９に接近させていく（（１）の仮想線の幅木４１）。
【００２２】
次に、図１３の（２）に示すように、幅木下部４３の下部板底部４９が側端縁部２９上に載置されるように、幅木本体４２を側端縁部２９上に配置する。
そして、仮想線で示すハンドル部６０に下方向へ力を加え、Ｑの方向への回動を促す。すると、両係合フレーム６１の左右の回動半径の差がねじれとなって発生する付勢力に基づいて、少し力を加えるだけで下方側へ回動する。つまり、外れ防止フレーム５９があたかもバネによって下方に回動するかのような挙動をとる。その結果、両係合フレーム６１がブラケットシャフト３０に嵌合されることとなる。
尚、この状態で、両係合フレーム６１のブラケットシャフト３０の外周面と接触する部位の曲率は、ブラケットシャフト３０の外周面の曲率と略同一とされている。
また、この時、インサート支持部５４のインサート中央板５６の後方面の一部が踏板２８の側端面３１に面接触するとともに、インサート張出し板１７のテーパー状に形成された前方端側の一部がブラケットシャフト３０の外周面に当接された状態となる。
このようにして、図１４に示すように、幅木本体４２は側端縁部２９上に配置される。この際、インサート部５４が側端縁部２９とブラケットシャフト３０との隙間に挿入された状態となると同時に、外れ防止フレーム５９がブラケットシャフト３０にしっかりと係合された状態となる。従って、幅木４１は側端縁部２９上に安定した状態で配置されることとなる。尚、幅木４１を取り外す場合は、上記使用方法の逆の順序で外すこととなる。
【００２３】
このように構成することにより本実施の形態２の幅木４１は、上記実施の形態１の効果に加え、以下のような効果を奏する。
（１）幅木１は、インサート部５４を踏板２８とブラケットシャフト３０との隙間に差込みながら、幅木本体４２を踏板側端縁部２９上に配置させ、その後、ハンドル部６０に下方向への力を加えると、外れ防止フレーム５９が上方又は下方への回動を付勢するように構成されているため、僅かに力を加えるだけで下方側へ回動し、両係合フレーム６１がブラケットシャフト３０に係合されることとなる。つまり、少し力を加えるだけで外れ防止フレーム５９がブラケットシャフト３０に係合され固定される為、配設が容易となり幅木の取り付け作業が迅速化する。
また、外れ防止フレーム５９は逆回動しにくい為、ブラケットシャフト３０から外れることはない。
【００２４】
なお、この発明は前記実施の形態に限定されるものではなく、次のように変更して具体化することも可能である。
・幅木１、４１は所定の厚みの鋼板を折り曲げて形成された正面視外形略長方形形状の幅木本体２、４２を備えているとしたが、所定の厚みの鋼板を折り曲げて形成された外形直方体形状の中空形状等、他の態様でも構わない。要は、幅木としての機能を果たす形状であればよいが、外形略長方形形状が好ましい。
また、幅木本体２、４２を踏板２８のように網状体で構成するようにしてもよい。このように構成すれば風の抵抗が少なくなる。
・幅木１、４１、インサート支持部１４、５４、外れ防止フレーム１９、５９の材質は他の金属、又は硬質プラスチック等その他の素材でも構わない。
・インサート支持部１４、５４の幅木本体４２への配設位置は幅木下部板７、４７の中央面でなくともよく自由とする。また、インサート支持部１４、５４の幅木本体への固定方法も自由とする。
【００２５】
・インサート支持部１４、５４（インサート中央板１６、５６、インサート張出し板１７、５７を含む）の形状、大きさは自由とする。
・外れ防止フレーム１９、５９の形状、大きさは自由とするが、ブラケットシャフト３０に係合可能な態様が好ましい。
・幅木１、４１は、インサート支持部１４、５４及び外れ防止フレーム１９、５９が幅木本体２、４２と一体成型された態様でも構わない。
・上記実施の形態では、外れ防止フレーム１９、５９については、両係合フレーム２１、６１を左右両側から挟むようにして両係合フレーム２１、６１間の距離を縮めることによって、両フレーム先端部２２、６２を両フレームセット孔１８、５８から抜くことができるとしたが、要は外れ防止フレーム１９、５９が両インサート張出し板１７、５７に着脱自在に係合されるような態様であればよく、例えば両係合フレーム２１、６１が両インサート張出し板１７、５７の外側へ延出され、両フレームセット孔１８、５８に対して両フレーム先端部２２、６２が外側から貫装されるような態様であっても構わない。
・未使用状態での幅木１、４１を保管、運搬時に積載する目的で、外れ防止フレーム１９、５９が両インサート張出し板１７、５７に着脱自在に係合されるような態様が好ましいが、外れ防止フレーム１９、５９が着脱できない態様でも構わない。
・上記実施の形態１の使用方法では、幅木１をブラケット２６上で若干傾けて配置し、その後、外れ防止フレーム１９をブラケットシャフト３０に係合させると同時に、インサート支持部１４を側端縁部２９とブラケットシャフト３０の隙間に挿入させていく、というような使用方法としたが、本発明の目的を達成できればその他の使用方法でも構わない。
・上記実施の形態１及び２では、幅木１、４１が使用できる建築足場として、建築現場において、所定の間隔で立設配置された複数の金属製の支柱２５と、同支柱２５に対して直行する方向に延出され同支柱２５に片持ちに支持された梁部材としての複数の金属製のブラケット２６と、同ブラケット２６にフック２７が係合されることによって架設された足場の各階の床面としての複数の金属製の踏板２８とから基本的骨格が構築された建築足場が連設されているものとしたが、幅木１、４１を使用できる足場の態様は上記実施の形態に限定されない。
その他、本発明の趣旨を逸脱しない態様で実施することは自由である。
【００２６】
本発明の目的を達成するために上記実施の形態から把握できるその他の技術的思想について下記に付記として説明する。
（１）  前記外れ防止部材は前記インサート支持部に取着されるとともに前記梁部材又は踏板に係合される係合フレームを備え、同インサート支持部への取着位置を支点として回動することで同係合フレームを同梁部材又は踏板の所定の部位に係合させて外れ防止を図るようにしたことを特徴とする請求項１又は２に記載の建築足場用幅木。
（２）  前記係合フレームは前記梁部材又は踏板の所定の部位に係合した状態において逆回動不能とされることを特徴とする付記１に記載の建築足場用幅木。
具体的には上記実施の形態１のように幅木１セット状態で外れ防止フレーム１９がブラケットシャフト３０に係合されているような場合が挙げられる。
【００２７】
【図面の簡単な説明】
【図１】本発明の実施の形態１の幅木の平面図。
【図２】同じ幅木の正面図。
【図３】同じ幅木の側面図。
【図４】同じ幅木の斜視図（前方）。
【図５】同じ幅木の斜視図（後方）。
【図６】同じ幅木の、配設方法を説明する概念側面図であって、（１）は幅木を配設する前の状態から配設される状態へ移行していく様子をを説明する図。（２）は（１）の状態から配設された状態に至る様子を説明する図。
【図７】同じ幅木が配設された状態の要部斜視図（概念図）。
【図８】本発明の実施の形態２の幅木の平面図。
【図９】同じ幅木の正面図。
【図１０】同じ幅木の側面図。
【図１１】同じ幅木の斜視図（前方）。
【図１２】同じ幅木の斜視図（後方）。
【図１３】同じ幅木の、配設方法を説明する概念側面図であって、（１）は幅木を配設する前の状態から配設される状態へ移行していく様子をを説明する図。（２）は（１）の状態から配設された状態に至る様子を説明する図。
【図１４】同じ幅木が配設された状態の要部斜視図（概念図）。
【符号の説明】
１、４１…建築足場用幅木、２、４２…幅木本体、３、４３…幅木中央部、８、４８…上部板底部、９、４９…下部板底部、１２、５２…幅木上部、１３、５３…幅木下部、１４、５４…インサート支持部、１６、５６…インサート中央板、１７、５７…インサート張出し板、１８、５８…フレームセット孔、１９、５９…外れ防止フレーム、２０、６０…ハンドル部、２１、６１…係合フレーム、２２、６２…フレーム先端部、２５…支柱、２６…ブラケット、２８…踏板、２９…側端縁部、３０…ブラケットシャフト、３１…側端面
【図１】
2004332220.tif 000003
【図２】
2004332220.tif 000004
【図３】
2004332220.tif 000005
【図４】
2004332220.tif 000006
【図５】
2004332220.tif 000007
【図６】
2004332220.tif 000008
【図７】
2004332220.tif 000009
【図８】
2004332220.tif 000010
【図９】
2004332220.tif 000011
【図１０】
2004332220.tif 000012
【図１１】
2004332220.tif 000013
【図１２】
2004332220.tif 000014
【図１３】
2004332220.tif 000015
【図１４】
2004332220.tif 000016